(57)【要約】【課題】強風により煽られて上蓋が振動した場合において不用意な上蓋開放を防止するようにした避難装置を提供すること。【解決手段】スラブの開口部に固定される収納枠２と、収納枠に開閉可能に枢着される上蓋３及び下蓋４と、上蓋及び下蓋が開放されたとき下方に伸長する梯子６とを具備する避難装置において、上蓋の開放端側において鉛直方向に垂下される係止フック２１と、収納枠の内方側に突出される係止突起２２と、板状に形成され内部に設けられた長孔２３内に係止突起が離脱不可かつ長孔に沿って移動可能に設けられると共に、長孔上端部が係止フックに係合かつ離脱可能な係止部材２４と、を有するロック機構２０を具備し、上蓋における係止フックの上方の内面に、係止フックと係止部材とが係合状態において、上蓋が上下に揺動する際に長孔が係止フックから離脱する余剰ストロークを吸収する外れ止め部材３０を設ける。【選択図】  図４
2009095354.tif 000002
【特許請求の範囲】
【請求項１】
ベランダ等のスラブに設けられた開口部に固定される収納枠と、この収納枠に開閉可能に枢着される上蓋及び下蓋と、上記収納枠内に折り畳まれて収納されると共に上記上蓋及び下蓋が開放されたとき、下方に伸長する梯子と、を具備する避難装置であって、
上記上蓋の開放端側において鉛直方向に垂下される係止フックと、上記収納枠の内方側に突出される係止突起と、板状に形成され内部に長孔を有し、この長孔内に上記係止突起が離脱不可かつ長孔に沿って移動可能に設けられると共に、長孔上端部が上記係止フックに係合かつ離脱可能な係止部材と、を有するロック機構を具備してなり、
上記上蓋における上記係止フックの上方の内面に、上記係止フックと係止部材とが係合状態において、上蓋が上下に揺動する際に上記長孔が係止フックから離脱する余剰ストロークを吸収する外れ止め部材を設けた、
ことを特徴とする避難装置。
【請求項２】
請求項１記載の避難装置において、
上記外れ止め部材は、スポンジによって形成されている、ことを特徴とする避難装置。
【発明の詳細な説明】
【技術分野】
【０００１】
この発明は避難装置に関するもので、更に詳細には、上蓋と下蓋を有する避難装置に関するものである。
【背景技術】
【０００２】
一般に、この種の避難装置として、ベランダ等のスラブに設けられた開口部に固定される収納枠と、この収納枠の床面側及び天井面側にそれぞれ枢着される上蓋及び下蓋と、収納枠内に折り畳まれて収納されると共に上蓋及び下蓋が開放されたとき、階下の床若しくはその付近まで伸長する例えばパンタグラフ式の梯子を具備するものが知られている。
【０００３】
上記のように構成される避難装置は、一般に上蓋の開放に伴って下蓋が開放する連動式の構造となっている。また、上蓋には悪戯や不用意な動作によって上蓋の開放されることによる落下等の事故を防止するための安全ロックが設けられている。
【０００４】
このような安全ロックとしては、例えば、上蓋の内側に取り付けたフックと収納枠に取り付けたレバーとからなり、このレバーがフック引っ掛け部を持ったレバー頭部と、長孔を形成した胴部とを備え、収納枠の外壁近傍に取付具を介して固定した軸を長孔に通し、レバーを軸の回りに揺動可能とし、フック引っ掛け部の先端が、通常は蓋の開閉によるフック先端の移動軌跡が描く円弧の外側に位置し、下降するフックに押されたときに、円弧の内側に回避する構成とすると共に、レバー頭部のフック引っ掛け部がフックに引っ掛かったままレバーが移動するのに伴い、最大で長孔の長さ分だけ上蓋が開く構成とし、レバーを移動させ、軸が長孔の下端に達しない過程で、収納枠と上蓋の間に、レバーを収納枠の内部に向けて押すための隙間を生じさせる構成とし、この隙間が維持されている状態で、収納枠の内部に向けてレバーを押す力が作用したとき、レバー頭部のフック引っ掛け部先端が上記移動軌跡の描く円弧の内側に回避され、レバーがフックから外れる機構にしたハッチ用安全ロックが知られている(例えば、特許文献１参照)。
【０００５】
また、上蓋が閉じた状態で上蓋の内側に収納枠の方向の揺動するように取り付けたロック部材を備え、上蓋を少し開くとロック部材が収納枠に設けられた係止部に係止して上蓋の開放がロックされる構造のものが知られている（例えば、特許文献２参照）。
【特許文献１】特許第３５０１５１７号公報（特許請求の範囲、図１，図３，図４）
【特許文献２】特開２０００−２４８８０５号公報（特許請求の範囲、段落番号０００５，０００７、図１〜図３）
【発明の開示】
【発明が解決しようとする課題】
【０００６】
しかしながら、特許文献１，２に記載の構造においては、台風等による強風が吹くと、蓋が風に煽られて振動し、レバーとフック等のロック部材の係合が解けて蓋が開放し、落下等の事故を招く虞があると共に、激しい振動により蓋が破損するという問題があった。
【０００７】
この発明は、上記事情に鑑みてなされたもので、強風により煽られて上蓋が振動した場合において不用意な上蓋開放を防止するようにした避難装置を提供することを課題とするものである。
【課題を解決するための手段】
【０００８】
上記課題を解決するために、この発明の避難装置は、ベランダ等のスラブに設けられた開口部に固定される収納枠と、この収納枠に開閉可能に枢着される上蓋及び下蓋と、上記収納枠内に折り畳まれて収納されると共に上記上蓋及び下蓋が開放されたとき、下方に伸長する梯子と、を具備する避難装置であって、  上記上蓋の開放端側において鉛直方向に垂下される係止フックと、上記収納枠の内方側に突出される係止突起と、板状に形成され内部に長孔を有し、この長孔内に上記係止突起が離脱不可かつ長孔に沿って移動可能に設けられると共に、長孔上端部が上記係止フックに係合かつ離脱可能な係止部材と、を有するロック機構を具備してなり、  上記上蓋における上記係止フックの上方の内面に、上記係止フックと係止部材とが係合状態において、上蓋が上下に揺動する際に上記長孔が係止フックから離脱する余剰ストロークを吸収する外れ止め部材を設けた、ことを特徴とする(請求項１)。ここで、余剰ストロークとは、一旦係止部材が長孔のストロークを使い切るまで上昇し、その後、上蓋がやや下降したときに、係止フックが長孔を離脱するのに必要なストロークをいう。
【０００９】
このように構成することにより、上蓋の開放端側において鉛直方向に垂下される係止フックと、収納枠の内方側に突出される係止突起と、板状に形成され内部に長孔を有し、この長孔内に係止突起が離脱不可かつ長孔に沿って移動可能に設けられると共に、長孔上端部が係止フックに係合かつ離脱可能な係止部材とを有するロック機構によって、上蓋の不用意な開放を防止することができる。また、上蓋における係止フックの上方の内面に、係止フックと係止部材とが係合状態において、上蓋が上下に揺動する際に長孔が係止フックから離脱する余剰ストロークを吸収する外れ止め部材を設けることで、強風により煽られて上蓋が振動する場合においても、外れ止め部材によって長孔が係止フックから離脱する余剰ストロークを吸収して係止フックから係止部材が離脱するのを防止することができる。
【００１０】
また、この発明において、上記外れ止め部材は、上蓋が上下に揺動する際に長孔が係止フックから離脱する余剰ストロークを吸収する材質を有するものであれば任意の部材であってもよいが、好ましくは、外れ止め部材はスポンジによって形成されている方がよい（請求項２）。
【００１１】
このように構成することにより、外れ止め部材は柔軟性を有するスポンジによって形成されるので、低廉かつ効果的に上蓋開放を防止することができる。また、実際に避難装置を使用するために上蓋を開放する際は、外れ止め部材を押し込むことにより問題なくロック機構を解除することができる。
【発明の効果】
【００１２】
この発明の避難装置は、上記のように構成されているので、以下のような効果が得られる。
【００１３】
（１）請求項１記載の発明によれば、強風により煽られて上蓋が振動する場合においても、外れ止め部材によって長孔が係止フックから離脱する余剰ストロークを吸収して係止フックから係止部材が離脱するのを防止することができるので、不用意な上蓋開放を防止することができると共に、強風による上蓋の破損を防止することができる。
【００１４】
（２）請求項２記載の発明によれば、外れ止め部材は柔軟性を有するスポンジによって形成されるので、上記（１）に加えて、更に低廉かつ効果的に上蓋開放を防止することができ、また、実際に避難装置を使用するために上蓋を開放する際においても、問題なくロック機構を解除することができる。
【発明を実施するための最良の形態】
【００１５】
以下に、この発明の最良の実施形態を添付図面に基づいて詳細に説明する。
【００１６】
図１は、この発明に係る避難装置の使用状態を示す斜視図である。
【００１７】
この発明の避難装置は、床、ベランダ等のスラブ１に設けられた開口部１ａに嵌装・固定される収納枠２と、この収納枠２の床面側及び天井面側にそれぞれ枢着される上蓋３及び下蓋４と、収納枠２内に折り畳まれて収納されると共に階下の床若しくはその付近まで伸長するパンタグラフ式の梯子６と、この梯子６の伸長降下速度を制御すると共に梯子６を引上げ収納する緩降器７と、上蓋３と収納枠２の間に介在されて悪戯や不用意な動作によって上蓋３が開放されるのを防止するロック機構２０と、上蓋３と下蓋４とを互いに連動して開閉動作させる開閉連動機構１０とで主要部が構成されている。
【００１８】
この場合、梯子６は、複数の縦桟６ａをパンタグラフ式に枢着した一対の伸縮体６ｃ間に複数の足踏み用の横桟６ｂが適宜間隔をおいて横架され、かつ収納枠２内に折畳まれて収納されると共に、階下の床若しくはその付近まで伸長し得るようになっている。また、下部側の縦桟６ａの間に横架された横桟６ｂと緩降器７の巻取ドラム７ａとの間には巻上用ワイヤ９が繋着されている。
【００１９】
上記上蓋３と下蓋４は、それぞれ収納枠２の一側端部にヒンジ３ａ，４ａを介して開閉可能に枢着されており、上蓋３及び下蓋４の両側辺及び収納枠２の対向する側壁部材２ａに取り付けられる一対の開閉連動機構１０によって上蓋３と下蓋４が互いに連動して開閉動作し得るように構成されている。なお、上蓋３の略中央内面側には、手掛け部５が固設されている。
【００２０】
上記ロック機構２０は、図２ないし図４に示すように、上蓋３の開放端側において鉛直方向に垂下される係止フック２１と、収納枠２の内方側に突出される係止突起２２と、板状に形成され内部に長孔２３を有し、この長孔２３内に係止突起２２が離脱不可かつ長孔２３に沿って移動可能に設けられると共に、長孔２３の上端部が係止フック２１に係合かつ離脱可能な係止部材２４とで構成されている。
【００２１】
また、この発明に係る避難装置においては、図２（ｂ）及び図４に示すように、上蓋３における係止フック２１の上方の内面に、係止フック２１と係止部材２４とが係合状態において、上蓋３が上下に揺動する際に長孔２３が係止フック２１から離脱する余剰ストロークを吸収する外れ止め部材３０が設けられている。この場合、外れ止め部材３０は、柔軟性に富むスポンジによって形成されている。なお、外れ止め部材３０を上蓋３の内面に取り付けるには例えば両面接着テープ等を用いて外れ止め部材３０を上蓋３の内面に固定することができる。したがって、上記ロック機構２０を具備する既存の避難装置に、外れ止め部材３０を容易に取り付けることができる。
【００２２】
次に、外れ止め部材３０を具備しない従来の避難装置(図２（ａ），図３参照)と、外れ止め部材３０を具備するこの発明に係る避難装置（図２（ｂ），図４参照）において、強風によって上蓋３が煽られる状態におけるロック機構２０の変化について説明する。
【００２３】
強風によって上蓋３は開放端側が上方に移動するが、図３（ａ），図４（ａ）に示すように、ロック機構２０の係止フック２１と係止部材２４とが係合して上蓋３は開放しない。しかし、強風によって上蓋３が煽られて上下に振動すると、外れ止め部材３０を具備しない従来の避難装置においては、図３（ｂ）に示すように、係止部材２４の長孔２３の余剰ストロークにより係止フック２１と係止部材２４の長孔２３との係合が解かれて、上蓋３が不用意に開放される。更に、強風によって上蓋３は煽られて破損をきたす虞がある。
【００２４】
これに対して、外れ止め部材３０を具備するこの発明に係る避難装置によれば、強風によって上蓋３が煽られて上下に振動しても、図４（ｂ）に示すように、外れ止め部材３０によって長孔２３が係止フック２１から離脱する余剰ストロークを吸収して係止フック２１から係止部材２４が離脱するのを防止することができる。これにより、上蓋３は不用意に開放することがなく、また、上蓋３が破損する心配がない。
【００２５】
なお、外れ止め部材３０は柔軟性に富むスポンジによって形成されているので、実際に避難装置を使用するために上蓋３を開放する際においても、図５に示すように、外れ止め部材３０を上蓋３側に押し込むことにより係止フック２１と係止部材２４の長孔２３との係合を解くことができるので、問題なくロック機構２０を解除して、上蓋３を開放することができる。
【００２６】
したがって、この発明に係る避難装置によれば、強風により煽られて上蓋３が振動する場合においても、外れ止め部材３０によって係止部材２４に設けられた長孔２３が係止フック２１から離脱する余剰ストロークを吸収して係止フック２１から係止部材２４が離脱するのを防止することができるので、不用意な上蓋開放を防止することができると共に、強風による上蓋３の破損を防止することができる。
【００２７】
また、外れ止め部材３０を柔軟性を有するスポンジによって形成することにより、低廉かつ効果的に上蓋開放を防止することができ、また、実際の避難装置を使用するために上蓋３を開放する際においても、問題なくロック機構２０を解除することができる。
【図面の簡単な説明】
【００２８】
【図１】この発明に係る避難装置の使用状態を示す斜視図である。
【図２】この発明における外れ止め部材を具備しない避難装置の上蓋とロック機構を示す要部断面斜視図（ａ）及び外れ止め部材を具備したこの発明に係る避難装置の上蓋とロック機構を示す要部断面斜視図（ｂ）である。
【図３】外れ止め部材を具備しない避難装置における上蓋とロック機構の変化を示す概略断面図である。
【図４】外れ止め部材を具備するこの発明に係る避難装置における上蓋とロック機構の変化を示す概略断面図である。
【図５】この発明における外れ止め部材を押し込んで係止フックと係止部材との係合を解除した状態を示す概略断面図である。
【符号の説明】
【００２９】
１  スラブ
１ａ  開口部
２  収納枠
３  上蓋
４  下蓋
６  梯子
２０  ロック機構
２１  係止フック
２２  係止突起
２３  長孔
２４  係止部材
３０  外れ止め部材
【図１】
2009095354.tif 000003
【図２】
2009095354.tif 000004
【図３】
2009095354.tif 000005
【図４】
2009095354.tif 000006
【図５】
2009095354.tif 000007